(57)【特許請求の範囲】
【請求項１】
流線形のルアー本体の後端部に釣針を付ける釣針用フックを設け、かつ、上記ルアー本体の片面の少なくとも先端部または先端部寄りに、釣糸の先端部を移動可能に結び付けて係止する同一曲線上に形成された複数の係止部を有する釣糸用フックを、上記片面に立設した釣り用ルアーであって、上記釣糸用フックは、ハート形をなす線材であり、上記複数の係止部は、このハート形の凹部を挟んだ一対の湾曲部分に形成されることを特徴とする釣り用ルアー。
【請求項２】
釣糸用フックにリングを設け、このリングを介して釣糸を釣糸用フックに繋ぐようにし
たことを特徴とする請求項1記載の釣り用ルアー。
【請求項３】
釣糸用フックをルアー本体の片面の複数個所に設けたことを特徴とする請求項１または
２記載の釣り用ルアー
【発明の詳細な説明】
【技術分野】
【０００１】
この発明は海や湖等のルアーフィッシングに使用する疑似餌である釣り用ルアーに関するものである。
【背景技術】
【０００２】
従来から海釣り等に使用するルアーとしては対象魚の種類に応じて選択できるように各種のルアーが開発され販売、使用されている。また、ルアーに関する先行技術文献としても下記の特許文献等に開示されているような種々のルアーがある。
【０００３】
【特許文献１】特開2005−269934号公報
【特許文献２】特開2005−6619号公報
【特許文献３】特開2005−204576号公報
【特許文献４】特開平10−108590号公報
【発明の開示】
【発明が解決しようとする課題】
【０００４】
例えば図１５に示すような従来のルアー１００は、あまり幅の厚くない金属製の細長い形状のルアー本体１０１の先端に、釣糸（道糸）１０２の先端部を結び付ける釣糸用フック１０３を前方に突出するように設け、ルアー本体１０１の後端に、釣針１０４を取り付ける釣針用フック１０５を後方に突出するように設けたものである。
【０００５】
このルアー１００を使って海でルアーフィッシングをする場合は、ルアー本体１０１の先端の釣糸用フック１０３に釣糸１０２の先端部を結び付け、釣竿を操作してルアー１００を海中に投げ込み、釣り人がリールからの釣糸１０２の繰り出し長さ等から所望の水深ポイントにルアー１００が到達したと認識した時に、釣竿等を操作して釣糸１０２を上下および左右に動かしてルアー本体１０１を水平になるようにし、小魚が自然に泳いでいるようにルアー１００をしている。
【０００６】
ところが、従来のルアー１００は、ルアー本体１０１の先端から前方に突出するようにして釣糸用フック１０３が設けられているので、この釣糸用フック１０３に釣糸（道糸）１０２の先端部を結び付けてルアー１００を海中に投げ込んだ場合（図１６参照）、ルアー１００は釣糸１０２の結び付けられている前部の釣糸用フック１０３側を上にして自重によって後部の釣針１０４側を下にして水面に対し垂直に降下して行く。また、リールから繰り出されていく釣糸１０２は、ルアー１００が所望の水深ポイントである例えば１００ｍ位に到達した際に途中の複雑な潮流（図では単純化して矢印で示す）の影響を受けて、糸ふけ（釣糸のたるみ）状態になる。
【０００７】
ところが、経験の浅い釣り人等は、釣糸１０２が上記したような糸ふけ状態になっているといった認識がないために、釣竿やリールを操作して釣糸１０２をしゃくればルアー１００が水平になるものと考えているが、上記した糸ふけによって釣糸１０２の引き上げ力が消され（吸収され）、当然ながらルアー１００を水平や垂直の状態に断続的にすることができない状況で釣りをすることになり、とても釣果を期待することはできなかった。また、上記したようにルアー１は、釣糸１０２で結ばれて海中で垂直状態であるので、釣糸１０２を巻き上げて糸ふけをある程度解消した後に、釣糸１０２をしゃくり上げてもルアー１００はなかなか上手く水平状態にはならず、そのため釣竿を操作して釣糸１０２を上に大きく弾くような初速を付けて引き上げないと上手く水平状態にすることができなかった。
【０００８】
ベテランの釣り人は、釣竿やリールをうまく操作して釣糸１０２を介してルアー１００を水平状態に導き、水平や垂直の状態に断続的にルアー１００を動かして釣りを行っているが、上記したようにあまりルアーフィッシングの経験のない人は、ルアー１００を所望の水深ポイントで水平状態にさせることは困難であり、当然ながら小魚が泳いでいるようにルアー１００を動かすこともできず、あまりよい釣果は得られなかった。
【０００９】
また、従来のルアー（ジグ）１００では、ルアー本体１０１の幅の狭い先端から前方に突出するようにして釣糸用フック１０３を設けてあるため、所望の水深ポイントで釣糸１０２を上下に動かしたルアー１００を操作し、その力が釣糸１０２を介してルアー１００の先端に伝わったとしても、ルアー本体１０１の幅の狭い上下面１０６、１０７が水中の上下方向になった状態の水平姿勢となり、釣糸１０２の操作を少しでも止めると、自重によって直ぐに上記したように水面に対し垂直になってしまい、小魚が泳いでいるような水平状態を保つのはなかなか難しかった。さらに従来のルアー（ジグ）では、垂直や水平の断続的な動きをルアー（ジグ）に有効に伝えるためには、ルアー（ジグ）の本体部分（ボディー）の形を工夫するしかなく、因って本物の小魚に似せて作るには限界があった。
【００１０】
本発明は上記のような点に鑑みて開発されたものであり、その目的とするところは、釣り人の腕に左右されることなく、小魚が泳いでいるように誰でも容易にルアーを水平になるように操作でき、かつ水平や垂直の状態に断続的にルアーを容易に動かすことができ、魚の喰いがよくなるようにして更なる釣果を期待できる釣り用ルアーを提供することにある。
【課題を解決するための手段】
【００１１】
上記した目的を有効に達成するために、請求項１に記載の本発明は、流線形のルアー本体の後端部に釣針を付ける釣針用フックを設け、かつ、上記ルアー本体の片面の少なくとも先端部または先端部寄りに、釣糸の先端部を移動可能に結び付けて係止する同一曲線上に形成された複数の係止部を有する釣糸用フックを、上記片面に立設した釣り用ルアーであって、上記釣糸用フックは、ハート形をなす線材であり、上記複数の係止部は、このハート形の凹部を挟んだ一対の湾曲部分に形成されることを特徴とする。
【００１２】
また、請求項２に記載の本発明は、釣糸用フックにリングを設け、このリングを介して釣糸を釣糸用フックに繋ぐようにしたことを特徴とする請求項1記載の釣り用ルアーである。
【００１３】
また、請求項３に記載の本発明は、釣糸用フックをルアー本体の片面の複数個所に設けたことを特徴とする請求項１または２記載の釣り用ルアーである。
【発明の効果】
【００１４】
請求項１に記載の本発明の釣り用ルアーでは、釣糸の先端部を移動可能に結び付けて係止できる複数の係止部を有する釣糸用フックをルアー本体の片面に立設してあるので、釣糸を介して所望の水深ポイントに達した時に、ルアー本体は釣糸の結ばれた釣糸用フック側を上にしてやや斜めに傾いた状態になる。この状態であるので、水中で釣糸に糸ふけが生じていても釣糸を巻き上げることによってルアー本体の片面の先端部は上からの水圧を受け、すでにやや斜めに傾いた状態にあるルアー本体を容易に水平状態にすることができる。さらに釣糸を上下動させることによって釣糸の先端部の結び目を、釣糸用フックの複数の係止部に交互に移動させることが可能なため、ルアー本体を水平や垂直の状態に断続的に容易に動かすことができ、かつ、ルアー本体の先端部を上下に揺動させて小魚が自然に泳いでいるような動きに容易にすることができる。それ故に誰でもルアーを小魚と同じような自然な動きに簡単に操作することができて大いに釣果を期待することができる。
【００１５】
また、請求項２に記載の本発明の釣り用ルアーでは、リングを介して釣糸を釣糸用フックに繋ぐようにしてあるので、釣竿の操作による釣糸の動かし方によって、リングが釣糸用フックの複数の係止部のいずれかに容易に移動して係止した状態となるので、リングの位置によってルアー本体の動きに微妙な変化を付けさせることができ、大いに釣果を期待することができる。また、複数の係止部を有する釣糸用フックを、リング自体が水中で移動することによってルアー（ジグ）に動きを与えているので、ルアー（ジグ）の本体部分（ボディー）は形状にとらわれることなく自由に作ることができる。
【００１６】
また、請求項３に記載の本発明の釣り用ルアーでは、釣糸用フックをルアー本体の片面の複数個所に設けたことにより、釣糸を所望箇所の釣糸用フックに結びつけることができ、釣竿を操作して釣糸を上下動させることにより、それぞれの釣糸用フックに釣糸(或いはリングを介して釣糸)を結びつけることにより、水中でのルアーの動きに変化を付けることができ、その時々の状況に応じて釣糸の結び付ける釣糸用フックを変えれば、大いに釣果を期待することができる。
【発明を実施するための最良の形態】
【００１７】
以下、本発明を実施するための最良の形態を図に基いて説明する。
図１〜図３は本発明にかかる一例の釣り用ルアーに関する図であって、この釣り用ルアー（ジグ）１は、ルアー本体２と、釣針用フック３、および釣糸用フック４とによって構成されている。
【００１８】
ルアー本体２は、金属製であり、海水等の流体から受ける抵抗が小さくなるように全体を細長い小魚の体を模した流線形に形成してあり、先端５を丸みのある少し尖ったような形状に形成し、後端６を直線上に形成し、両側縁７を先端５から後端６にかけて先端５寄りの部分８が少し膨らんだ丸みのある曲線形状に形成し、それぞれの片面９、１０（小魚の体を模した流線形の各側面に相当）も先端５から後端６にかけて少し膨らんだ丸みのある曲線形状に形成し、上記の各片面９、１０の表面を滑らかに形成してある。また、上記の一方の片面９を円弧状に形成し他方の片面１０は平坦に形成してある。なお、本発明においてルアー本体の片面９の先端部１１とは、例えば先端５から１〜２ｃｍ位の先端５近傍までの部分であるが、勿論この長さよりも先端５から長い箇所の部分であってもよい。また、本発明にかかるルアー本体２は、図示の形状に限定されるものではなく他の形状であってもよい。
【００１９】
上記したルアー本体２の片面９の先端５寄りの中心線１２上には、図示の例では金属線材をハート形に形成し、釣糸１３の先端部１３ａを移動可能に結び付けて係止する同一曲線上に形成された複数の湾曲形成した係止部４ａ、４ｂを有する釣糸用フック４が、ルアー本体２の先端５から先端部１１の所定の位置にかけて片面９に対し垂直または略垂直になるようにして立設してある。なお、釣糸用フック４は、片面９に対し垂直または略垂直になるようにして片面９の中心線１２上に立設するのが最も好ましいが、片面９の中心線１２上より多少左右にずれた箇所および／または片面９の左右方向のどちらかに傾いた状態で片面９に立設してもよく、このような構成のルアーも設計変更の域であって本発明の技術範囲に含まれるものとする。
【００２０】
ルアー本体２の後端６には、釣針１４を付ける金属線材で形成した釣針用フック３が、後方に突き出すようにして設けてある。なお、上記ルアー本体２の外面には魚を模した模様や色等が描かれているが図においては省略する。
【００２１】
上記のような構成からなる釣り用ルアー１にあっては、このルアー１を使って釣りをする場合、リール１６（図１４参照）を介して釣竿１７の先から繰り出される釣糸１３の先端部１３ａ（図４参照）を、ルアー本体２の片面９に垂直に設けた釣糸用フック４に移動可能なように結びつける。勿論、ルアー本体２の後端６の釣針用フック３には釣針１４が設けてある。
【００２２】
このようにした後に釣糸１３に取り付けたルアー１を海中の所望のポイントに投げ込む。この時、投げ込んだルアー１（図１２参照）は自重によって先端５を上にして後端６側から揺動しながら水中に降下していく。上記ルアー１が所望の水深ポイントに達した時には、ルアー本体２の片面９の先端部１１に釣糸用フック４を立設してあるので、ルアー本体２は釣糸１３と釣糸用フック４を介したルアー本体２とのバランス関係により海中で多少斜めに向いた状態となる。
【００２３】
上記したルアー１が所望の水深ポイントに達したと釣り人が認識した時に、リール１６を操作して釣糸１３の繰り出しを一旦止め、糸ふけを解消するためにリールを操作して釣糸１３を適宜巻き上げ、その後に釣竿１４を操作して釣糸１３を上下に動かす。このことによりルアー本体２は、釣糸１３を上に引いた時に片面９の先端部１１に上から水圧を受けて、釣糸１３を結んだ釣糸用フック４の箇所を支点に容易に水平状態（または略水平状態）になる（図１３参照）。さらに続けて釣糸１３をしゃくれば、釣糸１３の先端部１３ａの結び目を釣糸用フック４の前後方向の複数の係止部４ａ、４ｂに交互に移動させることができ、ルアー本体２を水平や垂直の状態に断続的に容易に動かすことができて、魚の喰のいい動きにルアー本体２を容易にすることができ、誰でも大いに釣果を期待することができる。なお、上記した水平や垂直の状態とは、水面に対する正確な水平や垂直ではなく、傾いてはいるが水平方向や垂直方向に近い方向を向いた状態、あるいは水平方向と垂直方向の範囲内のいずれかの方向を向いた状態の意である。勿論、自然界での動きであるので潮流等の影響により上記した水平や垂直の方向以外の方向を向く動きをする場合も当然ある。
【００２４】
また、釣針用フック３は、釣糸１３の先端部１３ａを移動可能に結び付けて係止できる複数の湾曲形成した係止部４ａ、４ｂを有しているので、釣糸１３をしゃくることにより、釣糸１３の結び目である先端部１３ａ（図４、図５参照）が、係止部４ａから係止部４ｂに移動したり、係止部４ｂから係止部４ａに移動したりして、ルアー本体２に対する釣糸１３の吊下げ（吊り上げ）支点が変わり、ルアー１の動きを微妙に変化させることができて、より小魚の動きに似せた動きにさせることができる。
【００２５】
このように上記したルアー１による釣りを行うことによって、魚の食い付き易い水平状態（または略水平状態）にルアー１を誰でも容易にさせることができ、小魚と同様の自然な動きにルアー１をさせて大いに釣果を上げることができる。
【００２６】
図６〜図８は本発明にかかる他の例の釣り用ルアー（ジグ）１（便宜上、図中符号は同一箇所については上記した例の図中符号と同一の符号を使用する。）であって、この釣り用ルアー１は、ルアー本体２と、釣針用フック３と、釣糸用フック４と、リング１５とによって構成されている。
【００２７】
この例のルアー本体２は、リング１５を有する以外の構成は上記した例と同様であり、同様の構成については説明を省略する。この例における釣り用ルアー１のリング１５は、金属製（勿論、合成樹脂製またはゴム製等であってもよい。）であり釣糸用フック４に移動可能に係止してある。
【００２８】
この例の釣り用ルアー１では、上記したようにして釣糸１３の先端部１３ａをリング１５に結び付けて釣りをすることにより、釣糸１３の先端部１３ａを釣糸用フック４に直接結び付けた上記の例にくらべ、釣竿１７の操作による釣糸１３の動かし方によって、ハート形の釣糸用フック４に沿って釣糸１３の結び目である先端部１３ａはリング１５を介して容易に移動でき、湾曲した同一曲線上の係止部４ｂと係止部４ａとに交互に係止することができる。このことによりリング１３および釣糸用フック４を介して釣糸１３に繋がれたルアー本体２の動きには微妙な変化がつき、この状態でルアーフィッシングを行うことによって大いに釣果を期待することができる。
【００２９】
図１１は本発明にかかる他の例の釣り用ルアー（ジグ）１（便宜上、図中符号は同一箇所については上記した例の図中符号と同一の符号を使用する。）であって、この釣り用ルアー１では、上記した各例の構成のルアー本体２の片面９の中心線１２上の先端部１１、並びに先端部１１寄り等の複数個所に片面9に対して垂直または略垂直に、複数の湾曲形成した係止部４ａ、４ｂを有する釣糸用フック４を設けてある。勿論、ルアー本体２の後端６の釣針用フック３には釣針１４が取り付けてある。なお、釣針用フック３は、ルアー本体２の片面９の先端部１１または／および先端部１１近傍以外の複数個所に設けてもよい。
【００３０】
この例のルアー１では、釣糸１３を所望の箇所の釣糸用フック４に結び付けることができ、釣果の上がらない場合などに、釣糸１３をルアー本体２の先端部１１または先端部１１寄り、或いは先端部１１から離れた箇所の釣糸用フック４に結び変えることにより、水中でのルアー１の動きを変えることができて、また釣果を期待することができるようになる。
【００３１】
なお、本発明のルアーにおいては、２つまたは４つ以上の釣糸用フック４をルアー本体２の片面９に立設してもよい。また釣糸用フック４は、上記した例のハート形に限らず、連続する凹凸によって同一曲線上の３箇所以上に係止部を形成した形状のものであってもよい。また、ルアー本体２の各面９，１０に本発明にかかる釣糸用フック４を立設するも自由である。
【産業上の利用可能性】
【００３２】
この発明の釣り用ルアーは、海をはじめ湖や川、沼、池等のあらゆる場所での疑似餌による釣りに利用することができる。
【図面の簡単な説明】
【００３３】
【図１】本発明にかかる一例のルアーの正面図である。
【図２】本発明にかかる一例のルアーの平面図である。
【図３】本発明にかかる一例のルアーの側面図である。
【図４】本発明にかかる図１に示す例のルアーの釣糸用フックに釣糸を取り付けて水中に投入した場合のルアーの姿勢を示す説明図である。
【図５】図４の状態から釣糸の結び部が釣糸用フックの他の位置に移動した際のルアーの姿勢を示す説明図である。
【図６】本発明にかかる他の例のルアーの正面図である。
【図７】本発明にかかる他の例のルアーの平面図である。
【図８】本発明にかかる他の例のルアーの側面図である。
【図９】本発明にかかる図６に示す例のルアーにおいて釣糸を結び付けたリングが釣糸用フックの前側に位置した状態で水中に投入した場合のルアーの姿勢を示す説明図である。
【図１０】図９の状態から釣糸を結び付けたリングが釣糸用フックの他の位置に移動した際のルアーの姿勢を示す説明図である。
【図１１】本発明にかかるさらに別の例のルアーを示す説明図である。
【図１２】本発明にかかる図１に示すルアーの水中への投入時の状態の説明図である。
【図１３】本発明にかかる図１に示すルアーの水中での釣りポイントでの状態の説明図である。
【図１４】本発明にかかるルアーを使って釣りを行っている場合の一例を示す説明図である。
【図１５】従来の一例のルアーの正面図である。
【図１６】ルアーフィッシングにおいて投入した従来のルアーおよび釣糸の水中での状態を示す説明図である。
【符号の説明】
【００３４】
１      ルアー
２      ルアー本体
３      釣針用フック
４      釣糸用フック
４ａ    係止部
４ｂ    係止部
５      ルアー本体の先端
６      ルアー本体の後端
９      ルアー本体の片面
１０    ルアー本体の片面
１１    ルアー本体の先端部
１２    ルアー本体の中心線
１３    釣糸
１４    釣針
１５    リング
【図１】
0004789187.tif 000002
【図２】
0004789187.tif 000003
【図３】
0004789187.tif 000004
【図４】
0004789187.tif 000005
【図５】
0004789187.tif 000006
【図６】
0004789187.tif 000007
【図７】
0004789187.tif 000008
【図８】
0004789187.tif 000009
【図９】
0004789187.tif 000010
【図１０】
0004789187.tif 000011
【図１１】
0004789187.tif 000012
【図１２】
0004789187.tif 000013
【図１３】
0004789187.tif 000014
【図１４】
0004789187.tif 000015
【図１５】
0004789187.tif 000016
【図１６】
0004789187.tif 000017